(57)【要約】【課題】  フォ−マルな婦人靴、紳士靴などを１足そっくり収納できる携帯に便利な靴など収納可能なバッグを提供することである。【解決手段】  バッグ(１)の少なくとも一部に靴など片方づつを収納する２つの独立した収納部を有し、  その独立した収納部に相当する側面部分に開口させた靴などの出し入れのための開口部(１１)を設けたことを特徴とするハイヒ−ルなど靴などの収納可能なバッグである。【選択図】  図１
2007037780.tif 000002
【特許請求の範囲】
【請求項１】
バッグ(１)の少なくとも一部に靴などを収納する独立した収納部を有し、
その独立した収納部に相当する側面部分に開口させ、収納物の出し入れのための開口部(１１)を設けたことを特徴とする靴などの収納可能なバッグ。
【請求項２】
前記の収納部の上には通常の物入れの空間(４)が設けられていることを特徴とする請求項１に記載のバッグ。
【請求項３】
前記の独立した収納部を隔離する仕切板は、斜めに傾斜しており、該傾斜仕切板が両側面部分に接合している位置に従って、収納部の空間が広い側に各々開口部(１１)が設けてあることを特徴とする請求項１又は２に記載のバッグ。
【請求項４】
前記の独立した収納部は、バッグ側面に各々開口を有する袋状構造であり、奥に向かってテーパー状のものであることを特徴とする請求項１又は２に記載のバッグ。
【発明の詳細な説明】
【技術分野】
【０００１】
本発明は、ハイヒ−ルなどの靴などを必要により収納できるバッグに関する。
また、靴などに限定されずに、哺乳瓶、保冷品、水筒なども、バッグ中身とは別に収納できるバッグの構造に関する。
【背景技術】
【０００２】
ハイヒ−ル、紳士靴などのフォ−マルな場所、結婚式場，葬儀場などに必要な靴などと、日常的に使いなれて、歩き易い運動靴、雨靴、防寒靴などを履き替えなければならない状態に遭遇することがある。そのような状態では、一方の靴などを持ち歩かなければならない。即ち、靴など専用の袋やバッグで持って行かなければならない。
【０００３】
また、哺乳瓶、保冷品、水筒などは、通常のバッグ中身とは別に収納すべきであるのに、そのためのバッグ構造はなかった。また、履き替えの靴などは、荷物が増えて大変である。従来このような問題を解決するバッグは見あたらなかった。また、靴など収納できるようなバッグは提供されていなかった。
【特許文献１】特開２０００−２０１７２０号公報
【発明の開示】
【発明が解決しようとする課題】
【０００４】
本発明の基本的な課題は、ハイヒ−ルなど靴などが触れ合わなく、靴などに傷がつかずに収納可能な格好のよいバッグを提供することである。同時に目立たずスピーディーに左右片方づつ靴などの履き替えが容易に行えるようにするバッグが提供されることである。哺乳瓶、保冷品、水筒などのようなバッグに収納し難い品を別個に収納できるバッグを提供することが課題である。
【課題を解決するための手段】
【０００５】
靴などを収納する手提げバッグを提供するために次のような構成のバッグが発明された。
（１) バッグ(１)の少なくとも一部に靴などを収納する独立した収納部を有し、その独立した収納部に相当する側面部分に開口させた靴などの出し入れのための開口部(１１)を設けたことを特徴とするハイヒ−ルなど靴などの収納可能なバッグである。
（２）前記の収納部の上には通常の物入れの空間(４)が設けられている前記のバッグ。
【０００６】
（３）前記の独立した収納部を隔離する仕切板は、斜めに傾斜しており、該傾斜仕切板が両側面部分に接合している位置に従って、独立した収納部の空間が広い側に各々開口部(１１)が設けてある。
（４）独立した収納部は、左右の側面に各々開口を有する袋状構造であり、奥に向かってテーパー状のものであるバッグ。
【発明の効果】
【０００７】
本発明のバッグは、ハイヒールなどの靴などが図示のように独立した収納部に収納され、蓋が閉められると、綺麗なバッグとなる。同時に、バッグの形状はデザインの要望により、曲線を使用したバッグにしてもよいし、丸みを帯びたバッグにすることもできる。基本的には、布製、皮製、プラスチック製など作製でき、柔軟性のある外皮で作成される見た目も綺麗なバッグを提供する。
【発明を実施するための最良の形態】
【０００８】
本発明のバッグは、基本的には、布製、皮製、プラスチック製など作製でき、柔軟性のある外皮で作製されるが、それに限定されることはない。
【０００９】
図１により、本発明のバッグを説明するが、本発明はそれに限定されないものである。図では箱型のバッグで説明してあるが、バッグのスタイル、デザインは、適宜変化を付けることができることは言うまでもない。そして、図２には、ボストンバッグ型のバッグの例を示す。
【００１０】
図１のバッグ(１)は、両取手(３)を有し、略箱形である。頂面の中央部には、ファスナーによる開口(２)が設けられ、バッグの上部分の部屋から物を出し入れできる。本発明は、図示のようにバッグ(１)の少なくとも半分の下部分に独立した収納部は対で上下に形成する。
対の部屋に片方づつ靴などを入れることにより、靴などに傷がつかず収納でき、靴などの大きさに略相当する底面積の底(９)のバッグとなるので、ちょうど持つのに合う大きさのバッグ(１)となる。
【００１１】
バッグ(１)の底(９)は、適度に硬いが軽く、防水性素材で作製され、靴など収納に都合のよい形状になり、その上に、靴など収納によい高さに仕切り(８)を設ける。この仕切り(８)も底面と同様の素材がよい。同じ高さのもう１つの独立した収納部を作るために仕切り(１０)を通常バッグ部屋との間に形成する。この仕切り(１０)も同様の素材がよいだろう。その仕切り(１０)は、バッグ(１)の通常の部屋の底面を成すので、その上には、通常にバッグに収納する物が収納されることとなる。
【００１２】
靴などの収納のための出し入れのための開口部は、バッグの靴など収納室に相当する位置の側面に設ける。通常、バッグ(１)の提げ取手のない側面すなわち、狭い側面に作る。デザインの要望により、他の側面に作ってもよい。
通常、開口部は図示のように大きく口を開けるように、側面の一部にファスナー(６)(７)によって縁取られた範囲に設ける。
【００１３】
図示では、開口部の蓋部材(５)は、下から上にめくれるように、開けられる構成であるが、デザインにより、上から下へ又は横に開ける構成にしてもよい。
また、蓋部材(５)は、上下に分けて形成してもよい。即ち、靴を片方づつから取り出すことができる。
【００１４】
そして、ハイヒール(１２)は図示のように片方づつ各々の独立した収納部屋に収納され、蓋(５)が閉められると、綺麗なバッグ(１)となる。同時に、本発明のバッグでは、靴など(１２)は片方づつ各収納室に収納されるために、靴などの型崩れがなく、傷つきもないように収納することができる。
【００１５】
次に、図２は、ボストンバッグ型のバッグに上下に２つの収納部を設けた本発明のバッグの見取り図である。即ち、バッグの側面にファスナー(６)、(７)により、開口部(１１)を設けてあり、バッグの中は、上下に靴など片方づつが図示のように収納され、各々は型崩れせずに、独立に収納される。
【００１６】
図２の例では、開口部(１１)は、図示のように左右に開かれ、靴などは取り出しや収納が容易に行われる。そして、靴などは一つづつ収納されており、使用される状態に置かれ、収納室の中で、正しい位置に置かれ、変形などが生じない。
【００１７】
そして、ハイヒール(１２)は図示のように片方づつ各々の独立した収納部に収納され、蓋(５)が閉められると、綺麗なバッグ(１)となる。
バッグの形状は箱型(図１)とボストンバッグ型(図２)で説明したが、デザインの要望により、曲線を使用したバッグにしてもよいし、丸みを帯びたバッグにすることもできる。
【００１８】
更に、図３に示すように、各々の独立した収納部は、傾斜した仕切板(８)により、開口部(６)の方が広い部屋に作られ、大略三角形をなすハイヒールなどを収納するに都合がよく、出し入れが容易にされる形態にすることができる。即ち、上下２段の独立した収納部の上下を隔離する仕切板(８)は、斜めに傾斜しており、該傾斜仕切板(８)が両側面部分に接合している位置に従って、上下の独立した収納部の空間が広い側に各々開口部(１１)を設ける。すると、説明したように、取り出しと収納が容易になるばかりでなく、空間の効率的な利用が図られる。開口部は、ファスナーのように図示されているが、図１、２と同様にしてもよいし、また、ファスナーは、図１の頂面にあるファスナー（２）のように１つの線上ファスナーでもよく、１つ或いは数個のボタンを設けた開口部でもよい。
【００１９】
また、図４に示すように、各々の収納部屋は、左右の側面に各々開口を有する袋状構造であり、奥に向かってだんだんと狭くなる袋構造であり、テーパー状のものである。このように、開口部が広くとることができ、そのために、大略三角形をなすハイヒールなどを収納するに都合がよく、出し入れが容易にされる形態にすることができる。説明したように、取り出しと収納が容易になるばかりでなく、空間の効率的な利用が図られる。開口部は、図示のように、洗練された形状にまとめることができる。図示では、平行な２つのファスナーにより開口部を形成してあるが、図１の頂面にあるファスナー(２)のように１つの線上ファスナーでもよく、１つ或いは数個のボタンを設けた開口部でもよい。
【００２０】
また、図４の具体例では、袋状部分の材料として、断熱性のある材料、保温性のある材料、或いは、耐水性材料を用いることにより、哺乳瓶、保冷品、水筒などを収納するために適する構造を更に提供することができる。
【産業上の利用可能性】
【００２１】
産業上の利用可能性は、上記に記述するが、一般的には、本発明は、ハイヒ−ルなどの靴などをきれいにそして、変形などがなく、傷もつかずに収納可能なバッグを提供することである。
【図面の簡単な説明】
【００２２】
【図１】本発明による、ハイヒ−ルなど靴などの収納可能なバッグの具体例を示す。
【図２】本発明による、ハイヒ−ルなど靴などの収納可能なバッグの他の具体例を示す。
【図３】本発明による、ハイヒ−ルなど靴などの収納可能なバッグの２つの開口部を備える具体例を示す。
【図４】本発明による、ハイヒ−ルなど靴などの収納可能なバッグの２つの開口部を備える他の具体例を示す。
【符号の説明】
【００２３】
１      バッグ
２      ファスナー
３      提げ取手
５      開口蓋部材
６      ファスナーの側鎖
７      ファスナーの他方の側鎖
８、１０    仕切り
９      バッグの底面
１１    収納部屋の開口部
１２    ハイヒ−ル
【図１】
2007037780.tif 000003
【図２】
2007037780.tif 000004
【図３】
2007037780.tif 000005
【図４】
2007037780.tif 000006